(57)【特許請求の範囲】
【請求項１】
釣糸が挿通される糸通し孔が軸芯を貫通する中通し浮き本体を備え、前記糸通し孔は、途中に狭窄部を有する砂時計型孔を有し、前記狭窄部の面に浮き止めの先端部が当接して係止部が形成されるとともに、砂時計型孔の入口部端面に浮き止めの末端面が当接して半係止部が形成され、浮き止めは前記係止部と前記半係止部との間で固定され、中通し浮き本体の重心位置は、中通し浮き本体の軸芯に沿って、前記係止部と前記半係止部との間に存在することを特徴とする中通し浮き。
【請求項２】
前記中通し浮き本体の糸通し孔に沿って軸芯方向に、前記中通し浮き本体を形成する物質よりも比重の大きい物質によって形成された被覆層が設けられていることを特徴とする請求項１記載の中通し浮き。
【請求項３】
前記糸通し孔の入口部から前記砂時計型孔の入口部端面に至る区間の前記糸通し孔は、前記糸通し孔の入口部側の大径部と、大径部の出口から前記砂時計型孔の入口部端面に向かって径が小さくなるように絞り込まれた絞り孔とからなり、絞り孔の最下部に位置する最小径部の径は、砂時計型孔の入口部端面の径よりも小さくなっていることを特徴とする請求項１または２記載の中通し浮き。
【発明の詳細な説明】
【技術分野】
【０００１】
本発明は、浮き本体を縦方向に貫通する糸通し孔を有する中通し浮きに関し、特に、魚が釣られまいとする進化した行動習性に対応した中通し浮きに関する。
【背景技術】
【０００２】
釣竿の長さよりもはるかに深い水深にいる魚を釣る場合には一般に、釣糸に完全には固定されない中通し浮きを使って、予定していた水深に釣針を位置決めする。図６から図８に、従来使用されている中通し浮きの構造を示す。
【０００３】
図６に示す中通し浮きは、釣糸１０の所定の位置に浮き止め９を装着し、糸通し孔２ａよりも径の大きいシモリ玉１と、中通し浮き本体２に釣糸１０を順次挿通し、釣糸の先端部に錘や釣針を取り付けるものである。
【０００４】
また、図７に示す中通し浮きは、糸通し孔２ａの内部で、釣糸１０に装着された浮き止め９をシモリ玉１に係止させるものであり、図８に示すものは、シモリ玉１を使用せずに、糸通し孔２ａの入口部３で釣糸１０に結わえつけられた浮き止め９を係止させるものである。
【０００５】
図６に示す中通し浮きを用いて仕掛けをポイントヘ投入すると、中通し浮きはその浮力によって水面に留まるが、釣針はその重みで水中へ沈降する。これにより、釣糸１０が水中へ引き込まれ、予定していた水深で釣糸１０の所定の位置に装着されている浮き止め９がシモリ玉１に係止され、更に、シモリ玉１が糸通し孔２ａの上端に係止される。
【０００６】
また、図７に示すものでは、シモリ玉１が糸通し孔２ａ内部へ収納された後に、浮き止め９がシモリ玉１の上端に係止され、図８に示すものでは、糸通し孔２ａの入口部３に浮き止め９のＶ宇型のヒゲで係止されることによって、釣糸１０のそれ以上の引き込みが阻止されて、錘や釣針が所定の水深に位置決めされる。
【０００７】
上述した従来の技術では、波や風、潮の流れの影響により、仕掛けをある一定の水深に留めようとしても、中通し浮き本体２と浮き止め９とが離れてしまう現象（以下、「糸フケ」という）か生じてしまい、所定の水深を確保できない（以下、「棚ボケ」という）状況を引き起こし、魚が釣れない、あるいは、たまたま魚が釣針にかかっても、「糸フケ」の影響で魚信が中通し浮き本体２に伝わらないという事態を招く。また、魚信が伝わっても、「糸フケ」により、釣針を針掛かりさせる釣竿操作（以下、「合わせ」という）ができず、釣針が魚の口にしっかり刺さらないなどの弊害があった。
【０００８】
これらの問題点を解決するためになされた技術の一例が、特許文献１、特許文献２に記載されている。
【先行技術文献】
【特許文献】
【０００９】
【特許文献１】実用新案登録第３１１７５３８号公報
【特許文献２】特開２００３−１６４２４３号公報
【発明の概要】
【発明が解決しようとする課題】
【００１０】
特許文献１に記載された中通し浮きの構造を図９に示す。この中通し浮きは、シモリ玉を必要とせず、釣糸１０の所定の位置に装着された浮き止め９を、糸通し孔２ａ内のかえし部４と、浮き止め係止部５とで係止するものである。
【００１１】
特許文献２に記載された中通し浮きの構造を図１０に示す。図１０（ａ）は、この中通し浮きの全体構造を示し、図１０（ｂ）は、中通し浮きの入口部分の詳細図である。この中通し浮きは、シモリ玉を必要とせず、糸通し孔２ａの入口部６に、弾性を持つスリット構造の円盤状部品によるかえし部４ｂが設けられている。糸通し孔２ａの浮き止め係止部５ｂに係止した浮き止め９を、このかえし部４ｂに係止させることによって、浮き止め９の逆通を防止している。
【００１２】
いずれも場合も、釣りの間、浮き止め９を糸通し孔２ａ内に位置決めすることができるため、中通し浮き本体２と浮き止め９との間の「糸フケ」が生じないように工夫されている。
【００１３】
しかし、これらの改良された技術によっても、水中での仕掛けの理想型である、仕掛け投入後所定の水深に仕掛けが達したら、仕掛けが流れる方向に、中通し浮きから釣針が斜め化した状態を実現することはできず、仕掛けの屈折や湾曲が引き起こす、変化する抵抗が発生する。
【００１４】
図１１に、従来の中通し浮き８が水中に引き込まれるときの姿勢変化を示す。中通し浮き８の重心がその最下点にあると、魚信をとらえて中通し浮き８が矢印で示す方向に水中に引き込まれるときに、おきあがりこぼしのように起き上がって直立しようとする力がはたらき、この力が、中通し浮き８の姿勢変化による抵抗となって生じる違和感を魚に与えて、魚が釣針に付いたエサを離すことがしばしば起こる。
【００１５】
図１２に、従来の中通し浮き８を用いたときに、仕掛けの屈折や弛みが与える、変化する抵抗の様子を示す。釣糸１０に錘７のような余分な装着物を装着すると、釣糸１０に屈折や湾曲が発生し、これにより変化する抵抗が発生する。このような変化する抵抗が発生すると、魚が警戒する要因となる。
【００１６】
さらに、中通し浮き本体２を貫通する糸通し孔２ａを釣糸１０が通過するとき、釣糸１０と糸通し孔２ａ内面との通過面が多くなるため、摩擦抵抗が増加する。そのため、錘７を使わない軽量仕掛けでは、釣針が所定の水深まで届かず、所定の水深に仕掛けを到達させるために、図１２に示すように、余分な錘７を使って仕掛けを重くすることになり、それによって生じる仕掛けの重さによる抵抗が発生する。従って、軽い仕掛けであっても釣糸がスムーズに水中へ沈降することを実現できない。
【００１７】
また、浮き止め９がかえし部４、４ｂと浮き止め係止部５、５ｂとの間に位置していたとしても、これの主たる目的は「糸フケ」の防止のためであり、魚信を最も鋭敏且つ明確に捕えることのできる浮き止めの固定化は実現できない。
【００１８】
さらに、特許文献１に記載されたものでは、図９に示すように、浮き止め係止部５にて浮き止め９を係止させ、かえし部４で浮き止め９の逆方向への通過を防ぐこととしているが、糸通し孔２ａの入口部６からかえし部４までの径が細いために、浮き止め９のヒゲ部分が糸通し孔２ａの入口部６に引っかかり、釣糸１０のスムーズな順方向への挿通の妨げとなる。また、強く釣糸１０を引っ張ることによって係止状態を解除するとしているが、浮き止め９を釣糸１０に結わえる際の結合の大きさが小さいと、かえし部４に係止できなかったり、浮き止め９の材質によってはかえし部４に引っかかって、係止状態がなかなか解除できなかったりするなどの不具合が発生する。
【００１９】
また、特許文献２に記載されたものでは、かえし部４ｂは、１枚の円盤状の弾性材料で形成されており、弾性に乏しい場合はスリットを形成して弾性を付与することで、浮き止め９を係止させることとしているが、使用していくうちに太陽光や塩分等により硬化してしまうと、スリットが形成されていても、浮き止め９が糸通し孔２ａ内に挿通しにくくなったり、スリット部分の１枚が欠落してしまうと、浮き止め９をかえし部４ｂで係止できなかったりする危険性がある。
【００２０】
魚は釣られまいとする進化した行動習性を持っており、具体的には、仕掛けの重さを嫌がる、仕掛けの屈折や湾曲が与える抵抗を嫌がる、中通し浮きが水中に引き込まれる際の姿勢変化が与える抵抗を嫌がる等の習性を持っている。従って、これらの進化した行動習性を持つ魚を釣るためには、進化した行動習性に対応できる中通し浮きが求められている。
【００２１】
魚の進化した行動習性に対応するためには、仕掛け投入後所定の水深に仕掛けが達したら、仕掛けが流れる方向に、中通し浮きから釣針が斜め化した状態を実現すること、魚信を最も鋭敏且つ明確に捕えることのできる浮き止めの固定化を実現すること、軽い仕掛けであっても釣糸がスムーズに水中へ沈降することが必要である。
【００２２】
本発明は、このような課題を解決するためになされたもので、余分な錘などを装着しない軽い仕掛けでも容易に所定の水深まで沈降して、釣針から中通し浮きまでが斜め化する仕掛けの理想型を実現させるとともに、鋭敏で明確な魚信を捕え、魚が中通し浮きごと水中に引き込んでいく際に与える中通し浮きの姿勢変化による、変化する抵抗を与えない魚の進化に対応した中通し浮きを提供することを目的とする。
【課題を解決するための手段】
【００２３】
以上の課題を解決するために、本発明の中通し浮きは、釣糸が挿通される糸通し孔が軸芯を貫通する中通し浮き本体を備え、中通し浮き本体には、釣糸に取付けられた浮き止めを係止する係止部が設けられており、前記係止部が設けられた領域が前記中通し浮き本体の重心位置となっていることを特徴とする。
【００２４】
中通し浮きの重心がその最下点にあると、魚信をとらえて中通し浮きが水中に引き込まれるときに、おきあがりこぼしのように起き上がって直立しようとする力がはたらき、この力が、中通し浮きの姿勢変化による抵抗となって生じる違和感を魚に与えて、釣針に付いたエサを離すことがしばしば起こる。
【００２５】
しかし、本発明の中通し浮きは、浮き止めを係止する係止部が設けられた領域が中通し浮き本体の重心位置となっているため、重心位置である係止部領域が回転中心となり、シーソーの原理が作用して、仕掛けが沈降し流れていく方向に斜め化し、魚が水中に引き込む方向へ斜め化したまま引き込まれて、中通し浮きの斜め化が実現する。そのため、中通し浮きが直立しようとするときに生じる抵抗が発生せず、魚に違和感を与えることがない。また、仕掛けが中通し浮きを引っ張りながら流れていくため、仕掛けに張りができ、針掛かりした魚が反転するときの仕掛けの屈折や湾曲が与える、変化する抵抗を軽減できる。
【００２６】
浮き止めを係止する係止部が設けられた領域を、中通し浮き本体の重心位置とすることは、一例として、中通し浮き本体を形成する物質よりも比重の大きい物質を、浮き止めの係止部位置に埋め込むことによって実現できる。
【００２７】
また、中通し浮き本体の制作上、中通し浮き本体の重心位置と浮き止めの係止部の位置に多少のずれが生じていたとしても、上記のシーソーの原理が作用し、中通し浮き本体が仕掛けの流れていく方向に斜め化すれば本発明による効果は得られる。重心位置は厳密には点であるのに対して、係止部が設けられた領域は空間的な広がりを持つものであり、係止部が設けられた領域のどこかに中通し浮き本体の重心位置が存在すればよい。そのため、係止部が設けられた領域が中通し浮き本体の重心位置となっているとは、係止部が回転中心となってシーソーの原理が作用し、斜め化が実現する限りにおいて、このような重心位置の多少のずれは許容することを意味する。
【００２８】
本発明の中通し浮きにおいては、前記中通し浮き本体の糸通し孔に沿って軸芯方向に、前記中通し浮き本体を形成する物質よりも比重の大きい物質によって形成された被覆層が設けられている構造とすることが好ましい。
【００２９】
中通し浮き本体の糸通し孔に沿って軸芯方向に、中通し浮き本体を形成する物質よりも比重の大きい物質によって形成された被覆層が設けられているため、中通し浮きの斜め化の線に対する、中通し浮きのふらつきを抑制することができ、中通し浮きの斜め化を安定的に維持することができる。そのため、釣針に装着したエサが不自然な動きをせず、魚に違和感や警戒心を与えにくい。
【００３０】
本発明の中通し浮きにおいては、前記糸通し孔は、途中に狭窄部を有する砂時計型孔を有し、前記狭窄部の面に浮き止めの先端部が当接して係止部が形成されるとともに、砂時計型孔の入口部端面に浮き止めの末端面が当接して半係止部が形成され、浮き止めは前記係止部と前記半係止部との間で固定される構造とすることが好ましい。
【００３１】
浮き止めは釣りの間、砂時計型孔の狭窄部で形成される係止部と、砂時計型孔の入口部端面で形成される半係止部のごく僅かな間に位置決めされて固定化されているため、中通し浮き本体と浮き止めとが離れてしまう、いわゆる「糸フケ」や「アソビ」という現象が生じない。そのため、所定の水深を保持することができる。
【００３２】
また、浮き止めが釣りの間固定化されるため、魚信があった場合には浮き止めが直ちに係止部に係合して中通し浮きを海中に引き込み、魚信を鋭敏かつ明確に伝えることが可能となる。
【００３３】
本発明の中通し浮きにおいては、前記糸通し孔の入口部から前記砂時計型孔の入口部端面に至る区間の前記糸通し孔は、前記糸通し孔の入口部側の大径部と、大径部の出口から前記砂時計型孔の入口部端面に向かって径が小さくなるように絞り込まれた絞り孔とからなり、絞り孔の最下部に位置する最小径部の径は、砂時計型孔の入口部端面の径よりも小さくなっている構造とすることが好ましい。
【００３４】
固定化された浮き止めの前後の釣糸は、絞り孔の狭窄孔端部と砂時計型糸通し孔の狭窄部端部の二点で支持される構造となるため、水中の仕掛けを安定させることができる。そのため、エサを装着した釣針が安定し、魚に違和感を与えないという効果をもたらす。
【００３５】
糸通し孔は、絞り孔の狭窄孔と砂時計型孔の狭窄部を有し、糸通し孔の他の部分がこれよりも広がった形状となっているため、糸通し孔を形成する面に釣糸が接する面積は、この形状を有しない糸通し孔を持つ中通し浮きと比較した場合に小さくなるため、釣糸の沈降の妨げとなる糸通し孔の面と釣糸との摩擦抵抗が軽減される。
【００３６】
また、糸通し孔の入口部側が太径部であるため、仕掛けを構成する際に釣糸を挿通しやすく、仕掛けをポイントヘ投入した後に、軽い仕掛けであっても中通し浮き本体へ容易に引き込まれる。軽い仕掛けとは、仕掛けの沈降を促すために、錘のような余計な装着を付けない仕掛けであり、仕掛けの重さを嫌がるという、魚の進化した行動習性に対応するものである。
【００３７】
また、仕掛けに余計な装着物を付ける必要がないため、装着物を付けた部分で仕掛けが屈折したり湾曲したりせず、魚が針掛かりして反転する時に発生する仕掛けの状態が変化する抵抗を軽減することができる。
【発明の効果】
【００３８】
本発明によると、軽い仕掛けであっても釣糸がスムーズに水中へ沈降し、仕掛けが流れる方向に斜め化した状態を実現することが可能であり、魚信を最も鋭敏且つ明確に捕えることのできる中通し浮きを実現することができる。
【図面の簡単な説明】
【００３９】
【図１】本発明の実施形態に係る中通し浮きの断面図を示す図である。
【図２】中通し浮き本体に設けられた糸通し孔の径の詳細を示す図である。
【図３】仕掛けをポイントに投入したときに、斜め化した状態の中通し浮きを示す図である。
【図４】中通し浮きの斜め化の状況を示す図である。
【図５】浮き止めを釣糸に装着させる方法を示す図である。
【図６】従来使用されている中通し浮きの構造を示す図である。
【図７】従来使用されている中通し浮きの構造を示す図である。
【図８】従来使用されている中通し浮きの構造を示す図である。
【図９】特許文献１に記載された中通し浮きの構造を示す図である。
【図１０】特許文献２に記載された中通し浮きの構造を示す図である。
【図１１】従来の中通し浮きが水中に引き込まれるときの姿勢変化を示す図である。
【図１２】従来の中通し浮きを用いたときに、仕掛けの屈折や弛みが与える、変化する抵抗の様子を示す図である。
【発明を実施するための形態】
【００４０】
以下に、本発明の中通し浮きを、その実施形態に基づいて説明する。
図１に、本発明の実施形態に係る中通し浮きの断面図を示す。
図１において、中通し浮き本体１１には、その軸芯を貫通するように、釣糸２０が挿通される糸通し孔１２が設けられており、釣糸２０の先端部分は糸通し孔１２の入口部１３から挿通され、出口部１４から抜け出る。釣糸２０の所定の位置には、釣針２３を所定の水深に位置決めするための浮き止め２２が装着されている。中通し浮き本体１１は、回転楕円体、卵形、球形等の形状を有し、軽くて均等な物質、例えば樹脂等によって形成されている。浮き止め２２は、先端部２２ａと末端面２２ｂとを有する円錐形状であり、ゴム材料によって形成されている。
【００４１】
中通し浮き本体１１には、釣糸２０に取付けられた浮き止め２２を係止する係止部１６が設けられている。係止部１６が設けられた領域は、中通し浮き本体１１の重心位置となっている。浮き止め２２を係止する係止部１６が設けられた領域を、中通し浮き本体１１の重心位置とすることは、中通し浮き本体１１を形成する物質よりも比重の大きい物質を重心形成材１８として、浮き止めの係止部１６の位置周辺に埋め込むことによって実現できる。
【００４２】
浮き止め２２を係止する係止部１６が設けられた領域が中通し浮き本体１１の重心位置となっているため、重心位置である係止部１６の領域が回転中心となり、シーソーの原理が作用して、仕掛けが沈降し流れていく方向に斜め化し、魚が水中に引き込む方向へ斜め化したまま引き込まれて、中通し浮きの斜め化が実現する。そのため、中通し浮きが直立しようとするときに生じる抵抗が発生せず、魚に違和感を与えることがない。また、仕掛けが中通し浮きを引っ張りながら流れていくため、仕掛けに張りができ、針掛かりした魚が反転するときの仕掛けの屈折や湾曲が与える、変化する抵抗を軽減できる。
【００４３】
中通し浮き本体１１の制作上、中通し浮き本体１１の重心位置と浮き止め２２の係止部１６の位置に多少のずれが生じていたとしても、シーソーの原理が作用して、中通し浮き本体１１が仕掛けの流れていく方向に斜め化すれば本発明による効果は得られることから、係止部１６が設けられた領域が中通し浮き本体１１の重心位置となっているとは、係止部１６が回転中心となってシーソーの原理が作用し、斜め化が実現する限りにおいて、このような重心位置の多少のずれは許容することを意味する。
【００４４】
中通し浮き本体１１の糸通し孔１２に沿って軸芯方向に、中通し浮き本体１１を形成する物質よりも比重の大きい物質によって形成された被覆層１７が設けられている。
被覆層１７が設けられているため、中通し浮きの斜め化の線に対する、中通し浮きのふらつきを抑制することができ、中通し浮きの斜め化を安定的に維持することができる。そのため、釣針２３に装着したエサが不自然な動きをせず、魚に違和感や警戒心を与えにくい。
【００４５】
図２に、中通し浮き本体に設けられた糸通し孔の径の詳細を示す。
糸通し孔１２は、途中に狭窄部１９ａを有する砂時計型孔１９を有している。狭窄部１９ａの径は、釣糸２０の径より大きく、浮き止め２２の最大径、すなわち末端面２２ｂの径より小さく設定されているため、浮き止め２２の先端部２２ａは、狭窄部１９ａの面に当接して係止部１６が形成される。また、砂時計型孔１９の入口部端面１９ｂに、浮き止めの末端面２２ｂが当接して半係止部１５が形成され、浮き止め２２は係止部１６と半係止部１５との間で固定される構造となっている。
【００４６】
糸通し孔１２の入口部１３から砂時計型孔１９の入口部端面１９ｂに至る区間の糸通し孔１２は、糸通し孔１２の入口部１３側の大径部１２ａと、大径部１２ａの出口から砂時計型孔１９の入口部端面１９ｂに向かって径が小さくなるように絞り込まれた絞り孔１２ｂとからなり、絞り孔１２ｂの最下部に位置する最小径部の径は、砂時計型孔１９の入口部端面１９ｂの径よりも小さくなっている。
【００４７】
このように、糸通し孔１２は、絞り孔１２ｂの狭窄孔と砂時計型孔１９の狭窄部１９ａを有し、糸通し孔１２の他の部分がこれよりも広がった形状となっているため、釣糸２０はスポット状に狭まった位置で糸通し孔１２を形成する面と接触することになる。そのため、糸通し孔１２を形成する面に釣糸２０が接する面積は、この形状を有しない糸通し孔を持つ中通し浮きと比較した場合に小さくなるため、釣糸２０の沈降の妨げとなる、糸通し孔１２の面と釣糸２０との摩擦抵抗が軽減される。
【００４８】
図３に、仕掛けをポイントに投入したときに、斜め化した中通し浮きの状態を示す。図３（ａ）はその全体図であり、図３（ｂ）は、浮き止めが固定されている領域の部分拡大図である。
釣糸２０は釣竿に取り付けられたリールから繰り出され、この釣糸２０へ浮き止め２２を装着し、釣糸２０の先端部を中通し浮き本体１１の軸芯を貫通する糸通し孔１２の入口部１３から出口部１４へ挿通させる。その後、釣糸２０の先端部分に、釣り条件に応じた釣針２３を取り付け、必要ならば流れの強弱に適応した錘を１個ないし複数個、釣糸２０に装着する。潮流の強弱でどうしても錘を装着しなければならない場合もあるが、可能な限り、錘を付けない軽い仕掛けで釣ることが好ましく、本発明の中通し浮きは、軽い仕掛けでの釣りを可能とするものである。
【００４９】
仕掛けを構成した後、仕掛けをポイントヘ投入すると、中通し浮きはその浮力によって水面に留まり、仕掛けが所定の水深に位置決めされる迄の間、仕掛けは沈降していくが、糸通し孔１２の入口部１３側が太径部１２ａであるため、釣糸２０が中通し浮き本体１１の糸通し孔１２内部へ引き込まれやすく、余分な錘や装着物を装着しない軽い仕掛けであっても、所定の水深まで容易に沈降していく。
【００５０】
仕掛けが所定の水深に達すると、浮き止め２２は係止部１６と半係止部１５とのごく僅かな間に位置決めされ固定化される。このとき、仕掛けが糸通し孔１２内部の係止部１６で、中通し浮き本体１１を引っ張ると、係止部１６が設けられた領域が中通し浮き本体１１の重心位置となっていることにより、中通し浮きは、仕掛けが流れていく方向と同角度に斜め化する。浮き止め２２は係止部１６と半係止部１５との間に固定化されていることから、中通し浮き本体１１の重心位置は、中通し浮き本体１１の軸芯に沿って、係止部１６と半係止部１５との間に存在すれば、中通し浮き本体１１の斜め化は実現する。このプロセスにおける中通し浮き２１の斜め化の状況を図４に示す。
【００５１】
釣りの最中に風の影響を受ける場合、特に仕掛けが流れていく方向と同じ方向に強い風が吹くと、海面上では吹送流という風による速い流れが発生して、仕掛けの中で最も体積の大きい中通し浮きは、吹送流によって圧力を強く受け、釣針２３よりも先行して流れてしまうことがある。この状態になると、海面上で自立直立したままの従来の中通し浮きでは、魚信があっても中通し浮きは反応しなくなるが、本発明の中通し浮きは、斜め化を実現することができるため、この吹送流の圧力を軽減させる効果を有する。
【００５２】
仕掛けを流していく時、えさを中通し浮きの周囲に柄杓等を用いて撒く作業を行う。これを撒き餌といい、本命魚とえさとり用の他魚のポイントを見定め、本命魚にはさしえさをより効果的に喰わせるための撒き餌、すなわち魚を集める寄せエサを、本命魚のポイントに撒くとともに、他魚を本命魚ポイントヘ行かせないための撒き餌を他魚ポイントに撒く。これを本命魚と他魚の分離という。
【００５３】
撒かれた撒き餌は、流れと共に流れの潮下へ向かいながら沈降していくが、この時、釣針に装着したエサを撒き餌の中に存在させることで、魚の摂餌行動を盛んにさせる。これを撒き餌とさしえさの同調という。また、釣針に装着したエサが撒き餌と同調しながら、撒き餌と同じような動き（同化という）をさせることが、多くの魚信を得るために必要である。この撒き餌とさしえさの同調同化のために、釣針から中通し浮きを斜め化させることにより、撒き餌とさしえさが同調する時間が長くなるようにしている。
【００５４】
浮き止め２２は釣りの間、砂時計型孔１９の狭窄部１９ａで形成される係止部１６と、砂時計型孔１９の入口部端面１９ｂで形成される半係止部１５のごく僅かな間に位置決めされて固定化されている。狭窄部１９ａと入口部端面１９ｂとの間隔は、浮き止め２２の長さと同等かわずかに大きい程度であり、中通し浮き本体１１と浮き止め２２が離れてしまう、いわゆる「糸フケ」や「アソビ」という現象が生じない。そのため、所定の水深を保持することができる。
【００５５】
また、釣りの最中に風波の影響により中通し浮き本体１１より竿側に出ている釣糸２０が、浮き止め２２を引き戻そうとする力が働いたとしても、浮き止め２２は、係止部１６と半係止部１５とのごく僅かな間で固定化されているので、浮き止め２２が糸通し孔１２から抜け出ることはなく、所定の水深を保持できる。
【００５６】
固定化された浮き止め２２の前後の釣糸２０は、絞り孔１２ｂの狭窄孔端部２４と、砂時計型孔１９の狭窄部端部２５の二点で支持される構造となる。この二点支持構造により、釣りの間釣糸２０を安定させることができ、釣針２３に装着したエサの不自然な動きを抑えることができる。そのため、上述した同化させる効果をより発揮することができ、魚にとって違和感のない動きになり、魚信を捕える機会が増える。
【００５７】
魚信があると、中通し浮きは釣糸２０と共に水中へ引き込まれ、魚信のあったことを知らせる。この時、浮き止め２２は、係止部１６と半係止部１５との間に固定化されており、仕掛けは斜め化して、釣糸２０には余分な錘等による屈折や湾曲がないため、魚信を鋭敏に伝えることができる。従って、図１１に示す従来の中通し浮きのように、中通し浮きが水中に引き込まれる際に発生する、中通し浮きの姿勢変化によって生じる、変化する抵抗が生じない。
【００５８】
さらに、仕掛けに余計な装着物を付ける必要がないため、装着物を付けた部分で仕掛けが屈折したり湾曲したりせず、魚が針掛かりして反転する時に発生する仕掛けの状態が変化する抵抗を軽減することができる。従って、図１２に示す、従来の中通し浮きに見られるように、余分な錘７や道具を装着して位置決めされた仕掛けに生じる、仕掛けの重さによる重量抵抗、仕掛けの屈折や湾曲が伸びきるときの変化する抵抗が軽減される。
【００５９】
仕掛けを回収する時は、釣糸２０をリールで巻き取って回収するが、中通し浮きが海面から引き上げられ、中通し浮き本体１１が直立状態になった時や、強い力で引っ張られた時、中通し浮き内部の砂時計型孔１９の半係止部１５によって固定されていた浮き止め２２の係止状態が解除され、浮き止め２２は、糸通し孔１２を通り、糸通し孔１２の入口部１３から抜け出る。
【００６０】
図５に、浮き止めを釣糸に装着させる方法を示す。
浮き止め２２は浮き止めゴムとも呼ばれ、釣糸２０を輪３０に通し、図中の矢印方向へ浮き止め２２を引き抜くことによって、釣糸２０にゴムの伸縮性で固定され、中通し浮きから受ける力によって移動しない程度以上の抵抗をもって移動できるものである。その他、浮き止め２２としては、釣糸２０の所定の位置に、他の釣糸や市販の専用糸を結びつけて糸コブを作ることで代用することもできる。
【００６１】
上述したように、本発明の中通し浮きは、浮き止めを係止する係止部が設けられた領域が中通し浮き本体の重心位置となるようにし、中通し浮き本体の糸通し孔に沿って軸芯方向に、中通し浮き本体を形成する物質よりも比重の大きい物質によって形成された被覆層を設けることにより、釣針から中通し浮きまでの斜め化を安定的に維持することを可能とした、仕掛けの理想型を実現している点に大きな特徴がある。さらに、浮き止めが係止部と半係止部との間で固定される構造となっているため、魚信を鋭敏かつ明確に伝えることができる点においても、大きな優位性を持っており、魚の進化した行動習性に対応するものとして大きな意義を有する。
【産業上の利用可能性】
【００６２】
本発明は、軽い仕掛けであっても釣糸がスムーズに水中へ沈降し、仕掛けが流れる方向に斜め化した状態を実現することが可能であり、魚信を最も鋭敏且つ明確に捕えることのできる中通し浮きとして広く利用することができる。
【符号の説明】
【００６３】
１  シモリ玉
２  中通し浮き本体
２ａ  糸通し孔
３  入口部
４  かえし部
４ｂ  かえし部
５  浮き止め係止部
５ｂ  浮き止め係止部
６  入口部
７  錘
８  中通し浮き  
９  浮き止め
１０  釣糸
１１  中通し浮き本体
１２  糸通し孔
１２ａ  大径部
１２ｂ  絞り孔
１３  入口部
１４  出口部
１５  半係止部
１６  係止部
１７  被覆層
１８  重心形成材
１９  砂時計型孔
１９ａ  狭窄部
１９ｂ  入口部端面
２０  釣糸
２１  中通し浮き
２２  浮き止め
２２ａ  先端部
２２ｂ  末端面
２３  釣針
２４  狭窄孔端部
２５  狭窄部端部
３０  輪
【要約】
【課題】軽い仕掛けであっても釣糸がスムーズに水中へ沈降し、仕掛けが流れる方向に斜め化した状態を実現することが可能であり、魚信を最も鋭敏且つ明確に捕えることのできる中通し浮きを提供する。
【解決手段】中通し浮き本体１１には、釣糸２０に取付けられた浮き止め２２を係止する係止部１６が設けられており、係止部１６が設けられた領域は、中通し浮き本体１１の重心位置となっている。中通し浮き本体１１の糸通し孔１２に沿って軸芯方向に、中通し浮き本体１１を形成する物質よりも比重の大きい物質によって形成された被覆層１７が設けられている。
【選択図】図１【図１】
0005813271.tif 000002
【図２】
0005813271.tif 000003
【図３】
0005813271.tif 000004
【図４】
0005813271.tif 000005
【図５】
0005813271.tif 000006
【図６】
0005813271.tif 000007
【図７】
0005813271.tif 000008
【図８】
0005813271.tif 000009
【図９】
0005813271.tif 000010
【図１０】
0005813271.tif 000011
【図１１】
0005813271.tif 000012
【図１２】
0005813271.tif 000013